(57)【特許請求の範囲】
【請求項１】
高さを調整可能な支持脚により支持され、上下に貫通する開口部を有する床架台を浴室設置空間に設置する工程と、
前記浴室設置空間において、熱可塑性発泡樹脂により形成された床パンを前記床架台の上に設置する前に、前記開口部から手を入れて前記支持脚の高さを調整し、前記床架台の水平レベル調整を行うとともに前記浴室設置空間に隣接する脱衣室の床面の高さを基準として前記床架台の高さを調整する工程と、
前記床架台の上に前記床パンを設置する工程と、
前記床パンと、前記床架台に取り付けられた排水トラップと、を締め付けて前記床架台と前記床パンとを挟持する工程と、
前記床架台の上に浴槽を据え付ける工程と、
前記床パンの周辺に壁パネルおよびドア枠を設置する工程と、
を順次実行することを特徴とする浴室の組立方法。
【請求項２】
前記床架台の高さを調整した後に、前記開口部を蓋体で塞ぐ工程をさらに実行することを特徴とする請求項１記載の浴室の組立方法。
【請求項３】
前記床架台の高さを調整した後であって、前記開口部を塞ぐ前に、前記床架台に前記排水トラップを取り付ける工程を実行することを特徴とする請求項２記載の浴室の組立方法。
【発明の詳細な説明】
【技術分野】
【０００１】
本発明の態様は、一般的に、発泡樹脂製の床パンを用いた浴室の組立方法に関する。
【背景技術】
【０００２】
浴槽設置部と洗い場から成る防水パンの四周に設けたパネルスペーサー載置部上にパネルスペーサーを設置し、パネルスペーサー上に壁パネルおよびドアパネルを取り付けて成るユニットバスルームがある（特許文献１）。特許文献１に記載されたようなユニットバスルームの防水パンは、一般的に、防水パン自身の高さを調整可能なアジャスタ脚を下面に有する。パネルスペーサー載置部は、防水パンに設けられているため、防水パンの高さをアジャスタ脚で調整するとパネルスペーサー載置部の高さを調整することができる。そのため、防水パンの高さをアジャスタ脚で調整すると、壁パネルおよびドアパネルの高さ調整が必然的に行われる。
【０００３】
これに対して、成形時の型代を低く抑えるために床パンを発泡樹脂製とすることが検討されている。このような浴室では、アジャスタ脚を有する架台と、架台の上に設置される床パンと、が設けられる場合がある。この場合には、防水性やコストなどを考慮すると、壁パネルやドア枠が載置される載置部は、床パンに設けられることがより好ましい。しかし、発泡樹脂製の床パンは、数時間斜めに立て掛けるだけで数センチメートル（ｃｍ）程度の反りが生ずるほどに、反りやすい特性を有している。そのため、架台上に床パンを設置した場合に、壁パネルやドア枠が載置される載置部は、架台から浮いてしまうことがあり、脱衣所に合わせて床パンの高さをアジャスタ脚で調整するのは非常に困難である。
【先行技術文献】
【特許文献】
【０００４】
【特許文献１】特開２００１−３４２４号公報
【発明の概要】
【発明が解決しようとする課題】
【０００５】
本発明は、かかる課題の認識に基づいてなされたものであり、熱可塑性発泡樹脂製の床パンを備えた浴室において、ドア枠や壁パネルと、脱衣室の床面と、の高さをより確実に合わせることができる浴室の組立方法を提供することを目的とする。
【課題を解決するための手段】
【０００６】
第１の発明は、高さを調整可能な支持脚により支持され、上下に貫通する開口部を有する床架台を浴室設置空間に設置する工程と、前記浴室設置空間において、熱可塑性発泡樹脂により形成された床パンを前記床架台の上に設置する前に、前記開口部から手を入れて前記支持脚の高さを調整し、前記床架台の水平レベル調整を行うとともに前記浴室設置空間に隣接する脱衣室の床面の高さを基準として前記床架台の高さを調整する工程と、前記床架台の上に前記床パンを設置する工程と、前記床パンと、前記床架台に取り付けられた排水トラップと、を締め付けて前記床架台と前記床パンとを挟持する工程と、前記床架台の上に浴槽を据え付ける工程と、前記床パンの周辺に壁パネルおよびドア枠を設置する工程と、を順次実行することを特徴とする浴室の組立方法である。
【０００７】
この浴室の組立方法によれば、浴室設置空間において、床架台の上に床パンを設置する前に開口部から手を入れて支持脚の高さを調整し、床架台と脱衣室の床面との間で高さの調整を行う。そのため、反りやすい特性を有する熱可塑性発泡樹脂の床パンを用いつつ、床パンの反りの影響を受けることなくドア枠と脱衣室との高さをより確実に合わせることができる。また、脱衣室の床面との関係で高さの調整が行われた床架台の上に床パンが設置されるため、床パンの上面すなわち洗い場の表面と、脱衣室の床面と、の高さをより確実に合わせることができる。また、床パンの反りは、床パンの周辺に壁パネルおよびドア枠を設置することにより矯正されるので、浴室の組立後には床パンは床架台に接触する。そのため、床パンの表面には排水口に向かう排水勾配を確実に保つことができる。
【０００８】
また、第２の発明は、第１の発明において、前記床架台の高さを調整した後に、前記開口部を蓋体で塞ぐ工程をさらに実行することを特徴とする浴室の組立方法である。
【０００９】
この浴室の組立方法によれば、床架台の開口部を蓋体で塞いだ後に、熱可塑性発泡樹脂で形成された床パンを床架台の上に設置するため、床パンを踏んでも床パンが凹むことを抑えることができ、より安定した洗い場床を提供することができる。
【００１０】
また、第３の発明は、第２の発明において、前記床架台の高さを調整した後であって、前記開口部を塞ぐ前に、前記床架台に前記排水トラップを取り付ける工程を実行することを特徴とする浴室の組立方法である。
【００１１】
この浴室の組立方法によれば、床架台の高さ調整を行った後であって床架台の開口部を蓋体で塞ぐ前に、排水トラップを取り付けるため、より容易に排水トラップの取付作業を行うことができる。
【発明の効果】
【００１２】
本発明の態様によれば、熱可塑性発泡樹脂製の床パンを備えた浴室において、ドア枠や壁パネルと、脱衣室の床面と、の高さをより確実に合わせることができる浴室の組立方法が提供される。
【図面の簡単な説明】
【００１３】
【図１】本発明の実施の形態にかかる浴室の組立方法により組み立てる浴室ユニットを表す模式的斜視図である。
【図２】本実施形態の床架台および床パンを表す模式的分解図である。
【図３】本実施形態の床架台を設置する方法を説明する模式的斜視図である。
【図４】本実施形態の洗い場側床架台の高さを調整する方法を説明する模式的斜視図である。
【図５】本実施形態の洗い場側床架台の高さを調整する方法を説明する模式的平面図である。
【図６】本実施形態の浴槽側床架台の高さを調整する方法を説明する模式的斜視図である。
【図７】本実施形態の浴槽側床架台の高さを調整する方法を説明する模式的平面図である。
【図８】本実施形態の排水トラップを取り付ける方法を説明する模式的斜視図である。
【図９】本実施形態の支持脚を接着する方法を説明する模式的斜視図である。
【図１０】本実施形態の蓋体を取り付ける方法を説明する模式的斜視図である。
【図１１】本実施形態の床パンを設置する方法を説明する模式的斜視図である。
【図１２】本実施形態の締付フランジを取り付ける方法を説明する模式的斜視図である。
【図１３】本実施形態の浴槽を設置する方法を説明する模式的斜視図である。
【図１４】本実施形態の壁面固定部材を取り付ける方法を説明する模式的斜視図である。
【図１５】本実施形態の壁面固定部材を取り付ける方法を説明する模式的斜視図である。
【図１６】本実施形態の壁面接続部材を取り付ける方法を説明する模式的斜視図である。
【図１７】本実施形態の壁面接続部材を取り付ける方法を説明する模式的斜視図である。
【図１８】本実施形態の壁およびドア枠を取り付ける方法を説明する模式的斜視図である。
【発明を実施するための形態】
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる浴室の組立方法により組み立てる浴室ユニットを表す模式的斜視図である。  
図２は、本実施形態の床架台および床パンを表す模式的分解図である。
【００１５】
まず、本実施形態にかかる浴室の組立方法により組み立てる浴室ユニットについて、図面を参照しつつ説明する。  
図１に表した浴室ユニットは、床架台１００と、床パン２００と、浴槽３００と、壁４００と、ドア枠５００と、を備える。
【００１６】
図１に表したように、床架台１００は、浴室設置空間１０の設置面（例えば、建物の床）に設置され、床パン２００の上面や浴槽３００の上面にかかる荷重を受け、その位置を保持する。  
図２に表したように、床架台１００は、洗い場側床架台１１０と、浴槽側床架台１２０と、蓋体１３０と、を有する。洗い場側床架台１１０は、ボルト部を回転させることで高さ調節可能な構造を有する支持脚１１１を有し、床パン２００を下方から支持する。そして、洗い場側床架台１１０が支持脚１１１により高さ調整されることで、床パン２００の水平面が確保される。一方、浴槽側床架台１２０は、ボルト部を回転させることで高さ調節可能な構造を有する支持脚１２１を有し、浴槽３００を下方から支持する。そして、浴槽側床架台１２０が支持脚１２１により高さ調整されることで、浴槽３００の水平面が確保される。
【００１７】
前述したように、床架台１００は、床パン２００の上面や浴槽３００の上面にかかる荷重を受けるため、充分な強度を必要とする。例えば、床架台１００の上部として、鋼材製のデッキプレートやサンドイッチパネルなどが用いられる。床架台１００の上面、すなわちデッキプレートやサンドイッチパネルなどの上面は、床パン２００および浴槽３００が備える各部材の垂直方向の基準位置すなわち水平基準面となる。
【００１８】
洗い場側床架台１１０の中央部には、上下方向に貫通した作業口（開口部）１１３が設けられている。例えば、浴室の組立作業を行う作業者は、作業口１１３から手を入れて床架台１００の下方へ手を伸ばすことで、支持脚１１１、１２１の高さ調整を行ったり、床架台１００の裏側において排水管の配設や接続を楽に行うことができる。そして、支持脚１１１、１２１の高さ調整を行ったり排水管の配設や接続を行った後に、作業口１１３は、蓋体１３０により塞がれる。
【００１９】
洗い場側床架台１１０および浴槽側床架台１２０には、排水トラップ１８０が取り付けられている。排水トラップ１８０は、洗い場側床架台１１０および浴槽側床架台１２０に跨るように取り付けられている。
【００２０】
床パン２００は、床架台１００の洗い場側床架台１１０の上に載置される。また、床パン２００は、熱可塑性発泡樹脂により形成されている。熱可塑性発泡樹脂としては、例えば発泡ポリプロピレン、発泡ポリスチレン、発泡ポリエチレン、発泡ポリウレタンなどが挙げられる。本実施形態では、一例として発泡ポリプロピレンが用いられている。熱可塑性発泡樹脂は、リサイクル可能なため、これを用いることで床パン２００の製造・廃棄に伴うＣＯ２排出量を削減して環境に優しい製品を提供できることになる。また、発泡樹脂は、他の成形法に比べて金型費用を低く抑えることができ、従来よりも低価格で浴室を提供できることになる。
【００２１】
床パン２００は、周縁部が上側に折り曲げられた浅底の器状（パン状）に形成され、浴室外部に水を漏出させない防水性を有する。なお、本願明細書において「水」という場合には、冷水のみならず、加温されたお湯も含むものとする。また、床パン２００の床架台１００とは反対側の面（表面）の周囲には、壁４００およびドア枠５００が載置される載置部が設けられている。これと同様に、浴槽３００の周囲には、壁４００が載置される載置部が設けられている。
【００２２】
図２に表したように、床パン２００において、浴槽３００との境界部近傍には、排水管に連通する排水部２１０が形成されている。排水部２１０が設けられた部分はくぼんでおり、床パン２００の表面には、排水部２１０に向けて下向き傾斜した排水勾配が付けられている。後に詳述するように、排水部２１０には、排水トラップ１８０と排水部２１０とを締め付けて床架台１００と床パン２００とを挟持するためのパッキン２２１、ワッシャ２２３、および締付フランジ２２５が取り付けられている。
【００２３】
図１に表したように、壁４００は、浴室ユニットの４面を構成しており、壁面材である第１〜第７の壁パネル４１０〜４７０を有する。隣接する壁パネルの間には、隣接する壁パネル同士を連接する壁面接続部材（ジョイナー）４０５が床パン２００の外周部および浴槽３００の外周部に立設されている。壁面接続部材４０５は、後に詳述する壁面固定部材（ジョイナー取付部）により保持されている。
【００２４】
また、図１に表した浴室ユニットでは、第１の壁パネル４１０と第５の壁パネル４５０との間にドア枠５００が設けられている。ドア枠５００は、壁パネルの一部として設けられていてもよい。そのため、本実施形態では、ドア枠５００を含む壁パネルも壁面材に含まれるものとする。あるいは、ドア枠５００は、壁パネルの一部ではなく単独として設けられていてもよい。
【００２５】
なお、本実施形態における壁面材の構成は、これだけに限定されず、１枚のパネルが複数パネルに分割されている構成や、隣接する複数枚のパネルが一体化されている構成であってもよい。
【００２６】
ここで、作業者が作業口１１３から手や工具などを入れて支持脚１１１、１２１により高さ調整を行うときには、ドア枠５００と、浴室設置空間１０に隣接する脱衣室と、の高さを合わせる必要がある。しかし、高さ調整を行うときには、床架台１００の上には床パン２００がまだ設置されていない。そのため、高さ調整を行うときには、ドア枠５００が載置される載置部が存在していない。そのため、従来の浴室の組立方法のように、実際にドア枠５００を載置部に置いた状態で支持脚１１１、１１２の高さ調整を行うことはできない。
【００２７】
これに対して、本実施形態にかかる浴室の組立方法では、浴室設置空間１０において、床架台１００に床パン２００を載置する前に作業口１１３から手を入れて支持脚１１１、１１２の高さを調整し、床架台１００の上面と、脱衣室の床面と、の間で高さの調整を行う。さらに、支持脚１１１、１１２の高さを調整し、水平レベル調整を行う。この際、床パン２００の高さが脱衣所から所定の寸法となるように、定規などで寸法を測定しながら高さの調整を行う。
【００２８】
これにより、熱可塑性発泡樹脂の床パン２００を用いつつ、ドア枠５００と脱衣室との高さをより確実に合わせることができる。また、脱衣室の床面との関係で高さの調整が行われた床架台１００の上面に床パン２００が載置されるため、床パン２００の上面すなわち洗い場の表面と、脱衣室の床面と、の高さをより確実に合わせることができる。
【００２９】
次に、本実施形態にかかる浴室の組立方法について、図面を参照しつつ説明する。  
図３〜図１８は、本実施形態にかかる浴室の組立方法を説明する模式図である。
【００３０】
本実施形態にかかる浴室の組立方法においては、図３に表したように、まず、床架台１００を浴室設置空間１０に搬入し、設置面１０Ｓに設置する。
【００３１】
続いて、図４に表したように、作業口１１３から手を入れて支持脚１１１の高さを調整し、例えばレーザ水準器などの水準器６０１を用いて洗い場側床架台１１０の水平レベル調整を行う。すなわち、洗い場側床架台１１０の水平面を確保する。このとき、図５に表したように、床パン２００の厚さおよびドア枠５００の厚さを考慮しつつ、支持脚１１１の高さを調整することで、設置面１０Ｓから洗い場側床架台１１０の上面までの高さＤ１を調整する。
【００３２】
例えば、床架台１００の上部としてデッキプレートが用いられている場合には、波形に形成された部分の上面が洗い場側床架台１１０の上面となる。そして、例えば、設置面１０Ｓから脱衣室の床面までの高さＤ２が１９５ミリメートル（ｍｍ）であって、床パン２００の厚さとドア枠５００の厚さとを合わせた厚さが３５ｍｍである場合には、そのギャップ（３５ｍｍ）を引いた１６０ｍｍを狙って設置面１０Ｓから洗い場側床架台１１０の上面までの高さＤ１を調整する。これにより、洗い場側床架台１１０の水平レベル調整を行うとともに、ドア枠５００と脱衣室との高さをより確実に合わせることができる。
【００３３】
続いて、図６に表したように、支持脚１２１の高さを調整し、例えばレーザ水準器などの水準器６０１を用いて浴槽側床架台１２０の水平レベル調整を行う。  
このとき、図７に表したように、洗い場側床架台１１０の上面と、浴槽側床架台１２０の上面と、の間の高さのギャップＤ３を調整する。これにより、浴槽側床架台１２０の水平レベル調整を行うとともに、浴槽側床架台１２０の高さを調整することができる。
【００３４】
続いて、図８に表したように、作業口１１３を通して排水トラップ１８０を床架台１００の下側へ配置させる。そして、洗い場側床架台１１０の排水部１１５および浴槽側床架台１２０の支持部材１２３に対して排水トラップ１８０を固定する。これにより、排水トラップ１８０は、洗い場側床架台１１０および浴槽側床架台１２０に跨るように取り付けられる。
【００３５】
続いて、図９に表したように、全ての支持脚１１１、１１２を設置面１０Ｓに対して接着剤６０３を用いて接着する。  
続いて、図１０に表したように、蓋体１３０を洗い場側床架台１１０に固定することで、洗い場側床架台１１０の作業口１１３を蓋体１３０により塞ぐ。
【００３６】
続いて、図１１に表したように、洗い場側床架台１１０の上に床パン２００を設置する。このとき、洗い場側床架台１１０のコーナ部に予め固定された壁面固定部材４０７に対して床パン２００のコーナ部を嵌め込むようにして床パン２００を設置する。
【００３７】
続いて、図１２に表したように、締付治具６０５およびトラップ締付治具６０７を用いて、ワッシャ２２３および締付フランジ２２５を床パン２００の排水部２１０に取り付ける。これにより、床パン２００の排水部２１０と排水トラップ１８０とを締め付けて、洗い場側床架台１１０と床パン２００とを挟持することができる。なお、図２に関して前述したパッキン２２１は、ワッシャ２２３および締付フランジ２２５を取り付ける前に、床パン２００の排水部２１０に取り付けられている。
【００３８】
続いて、図１３に表したように、浴槽３００の排水口３０１と、浴槽側床架台１２０の支持部材１２３に固定された排水トラップの排水口１８１と、の位置を目視確認で合わせつつ、浴槽側床架台１２０の上に浴槽３００を据え付ける。このとき、浴槽３００を適宜揺することで、浴槽３００のガタツキを抑えつつ着地確認を行う。
【００３９】
続いて、図１４および図１５に表したように、浴槽３００の上端部に壁面固定部材４０８、４０９を固定する。  
なお、図１５（ａ）は、図１４に表した領域Ａ１を拡大して眺めた模式的斜視図である。図１５（ｂ）は、図１４に表した領域Ａ２を拡大して眺めた模式的斜視図である。図１５（ａ）および図１５（ｂ）は、浴室ユニットの内側から外側へ向かって眺めた模式的斜視図である。
【００４０】
図１５（ａ）に表したように、浴槽３００の上端部のコーナ部に壁面固定部材４０８を固定する。また、図１５（ｂ）に表したように、浴槽３００の上端部の長辺の中央部に壁面固定部材４０９を固定する。
【００４１】
続いて、図１６および図１７に表したように、壁面接続部材４０５を設置する。  
なお、図１７（ａ）は、図１６に表した領域Ａ３を拡大して眺めた模式的斜視図である。図１７（ｂ）は、図１６に表した領域Ａ４を拡大して眺めた模式的斜視図である。図１７（ｃ）は、図１６に表した領域Ａ５を拡大して眺めた模式的斜視図である。図１７（ｄ）は、図１６に表した領域Ａ６を拡大して眺めた模式的斜視図である。図１７（ａ）〜図１７（ｄ）は、浴室ユニットの内側から外側へ向かって眺めた模式的斜視図である。
【００４２】
図１７（ａ）に表したように、浴槽３００の上端部のコーナ部に固定された壁面固定部材４０８に対して壁面接続部材４０５を固定する。これにより、浴槽３００の上端部のコーナ部に設けられる壁面接続部材４０５が壁面固定部材４０８に保持される。また、図１７（ｂ）に表したように、洗い場側床架台１１０のコーナ部に固定された壁面固定部材４０７に対して壁面接続部材４０５を固定する。これにより、洗い場側床架台１１０のコーナ部に設けられる壁面接続部材４０５が壁面固定部材４０７に保持される。また、図１７（ｃ）に表したように、浴槽３００の上端部の長辺の中央部に固定された壁面固定部材４０９に対して壁面接続部材４０５を固定する。これにより、浴槽３００の上端部の長辺の中央部に設けられる壁面接続部材４０５が壁面固定部材４０９に固定される。また、図１７（ｄ）に表したように、床パン２００の長辺の中央部に設けられる壁面接続部材４０５を床パン２００に差し込み水平方向へスライドさせる。これにより、床パン２００の長辺の中央部に設けられる壁面接続部材４０５が床パン２００の周端部に保持される。  
なお、この際、その周囲が高くなるように床パン２００が反っている場合でも、作業者が床パン２００に乗ることにより床パン２００は洗い場側床架台１１０の上面に接触するので、床パン２００が浮いたまま壁面接続部材４０５が壁面固定部材４０９に固定されることはない。
【００４３】
続いて、図１８に表したように、第１の壁パネル４１０〜第３の壁パネル４３０を床パン２００の周囲に設けられた載置部に載置し、第１の壁パネル４１０〜第３の壁パネル４３０の左右端部を壁面接続部材４０５に嵌め込む。また、第４の壁パネル４４０〜第７の壁パネル４７０を浴槽３００の周囲に設けられた載置部に載置し、第４の壁パネル４４０〜第７の壁パネル４７０の左右端部を壁面接続部材４０５に嵌め込む。また、第１の壁パネル４１０と第５の壁パネル４５０との間の載置部にドア枠５００を載置し、ドア枠５００の左右端部を壁面接続部材４０５に嵌め込む。このように、床パン２００の周囲に第１の壁パネル４１０〜第３の壁パネル４３０およびドア枠５００が載置され、床パン２００の周囲を線状に押さえつけることにより、その周囲が高くなるように床パン２００が反っている場合でも、その反りは確実に矯正される。これにより、浴室の組立が完了する。
【００４４】
本実施形態にかかる浴室の組立方法によれば、浴室設置空間１０において、床架台１００に床パン２００を載置する前に作業口１１３から手を入れて支持脚１１１、１１２の高さを調整し、洗い場側床架台１１０の上面と、脱衣室の床面と、の間で高さの調整を行う。そのため、熱可塑性発泡樹脂の床パン２００を用いつつ、ドア枠５００と脱衣室との高さをより確実に合わせることができる。また、脱衣室の床面との関係で高さの調整が行われた洗い場側床架台１１０の上面に床パン２００が載置されるため、床パン２００の上面すなわち洗い場の表面と、脱衣室の床面と、の高さをより確実に合わせることができる。
【００４５】
また、洗い場側床架台１１０の作業口１１３を蓋体１３０で塞いだ後に、熱可塑性発泡樹脂で形成された床パン２００を洗い場側床架台１１０の上に載置するため、床パン２００を踏んでも床パン２００が凹むことを抑えることができ、より安定した洗い場床を提供することができる。
【００４６】
また、床架台１００の高さ調整を行った後であって洗い場側床架台１１０の作業口１１３を蓋体１３０で塞ぐ前に、排水トラップ１８０を取り付けるため、より容易に排水トラップ１８０の取付作業を行うことができる。
【００４７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、床架台１００、床パン２００、ドア枠５００などが備える各要素の形状、寸法、材質、配置などや壁４００およびドア枠５００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１０ 浴室設置空間、  １０Ｓ 設置面、  １００ 床架台、  １１０ 洗い場側床架台、  １１１ 支持脚、  １１３ 作業口、  １１５ 排水部、  １２０ 浴槽側床架台、  １２１ 支持脚、  １２３ 支持部材、  １３０ 蓋体、  １８０ 排水トラップ、  １８１ 排水口、  ２００ 床パン、  ２１０ 排水部、  ２２１ パッキン、  ２２３ ワッシャ、  ２２５ 締付フランジ、  ３００ 浴槽、  ３０１ 排水口、  ４００ 壁、  ４０５ 壁面接続部材、  ４０７、４０８、４０９ 壁面固定部材、  ４１０ 第１の壁パネル、  ４２０ 第２の壁パネル、  ４３０ 第３の壁パネル、  ４４０ 第４の壁パネル、  ４５０ 第５の壁パネル、  ４６０ 第６の壁パネル、  ４７０ 第７の壁パネル、  ５００ ドア枠、  ６０１ 水準器、  ６０３ 接着剤、  ６０５ 締付治具、  ６０７ トラップ締付治具
【図１】
0005962299.tif 000002
【図２】
0005962299.tif 000003
【図３】
0005962299.tif 000004
【図４】
0005962299.tif 000005
【図５】
0005962299.tif 000006
【図６】
0005962299.tif 000007
【図７】
0005962299.tif 000008
【図８】
0005962299.tif 000009
【図９】
0005962299.tif 000010
【図１０】
0005962299.tif 000011
【図１１】
0005962299.tif 000012
【図１２】
0005962299.tif 000013
【図１３】
0005962299.tif 000014
【図１４】
0005962299.tif 000015
【図１５】
0005962299.tif 000016
【図１６】
0005962299.tif 000017
【図１７】
0005962299.tif 000018
【図１８】
0005962299.tif 000019